(57)【要約】【課題】液晶表示装置において、一方の透明基板に導光板の機能を持たせ、光源からの距離に拘わらず、偏光板を透過した後の光の偏光状態を目的とする偏光状態に保持することを可能にする。【解決手段】光出射側に第１透明基板１２が配置され、第１透明基板１２に対して液晶１４を挟んで反対側に配置された第２透明基板１３の端部に光源２４が配置されている。第２透明基板１３の液晶１４と反対側に位相差板２２及び第２偏光板２３が配置され、第２偏光板２３の下方に反射板２７が配置されている。第２透明基板１３の液晶側に共通電極２５が設けられ、共通電極２５の液晶側に光変向部を構成する複数の採光面２６ａが第２透明基板１３の端面１３ａに沿って設けられている。【選択図】      図１
2007065601.tif 000002
【特許請求の範囲】
【請求項１】
２枚の透明基板間に液晶が封入された液晶表示装置であって、
光が出射される側に配置された第１透明基板と、
前記第１透明基板に対して前記液晶を挟んで反対側に配置された第２透明基板と、
前記第２透明基板の端部に配置された光源と、
前記第１透明基板の前記液晶と反対側に配置された第１偏光板と、
前記第２透明基板の前記液晶と反対側に配置された第２偏光板と、
前記光源から前記第２透明基板に入射された光の進行方向を、前記第２偏光板を透過する方向に変更する光変向部と、
前記光変向部で変向されて前記第２透明基板から出射され、かつ前記第２偏光板を透過した光を前記液晶側へ反射する反射部と、
前記第２透明基板に設けられ、前記反射部で前記液晶側へ反射された光が前記液晶側に透過するのを許容する透過部と
を備えている液晶表示装置。
【請求項２】
前記液晶表示装置は、アクティブマトリックス型であり、前記第１透明基板上に画素電極及びアクティブ素子が設けられ、前記第２透明基板上に共通電極が形成されている請求項１に記載の液晶表示装置。
【請求項３】
前記第２透明基板の前記液晶側には、前記光源と対向する端面と平行に延びる複数の溝が形成され、前記複数の溝は、前記端面側から対向面側に向かって次第に前記液晶に近づくように傾斜する傾斜面と、前記端面側から前記対向面側に向かって次第に前記液晶から遠ざかるように傾斜する採光面とが交互に連なることにより形成され、前記採光面が前記光変向部である請求項１又は請求項２に記載の液晶表示装置。
【請求項４】
前記光変向部と前記透過部とにより構成される溝は、液晶の配向膜の機能を備えている請求項３に記載の液晶表示装置。
【発明の詳細な説明】
【技術分野】
【０００１】
本発明は、液晶表示装置に係り、詳しくはバックライトを備えた液晶表示装置に関する。
【背景技術】
【０００２】
液晶表示装置は、コンピュータ、携帯機器等の表示装置として広く用いられている。近年、これらの表示装置では周囲が暗くても表示が容易に認識できるようにバックライトが設けられている。バックライトとして、透明な材料で形成された導光板の端面に沿って蛍光管（冷陰極管）やＬＥＤ（発光ダイオード）が配置され、導光板の表面（液晶パネルと対向する側の面）から光が面状に出射されるエッジライト方式（サイドライト型）の装置が実施されている。
【０００３】
液晶表示装置において薄型化が要望されている。反射型の液晶表示装置は、バックライトが不要であるが透過型又は半透過型の液晶表示装置は、バックライトが必要となる。そのため透過型又は半透過型の液晶表示装置では、バックライトを構成する導光板の分だけ反射型の液晶表示装置に比較して薄型化が難しい。この問題を解消するため、２枚の基板間に液晶が封入された液晶表示装置において、前記２枚の基板のうちいずれか一方の基板の一端面側に光源が配置され、前記一方の基板が導光板を兼ねている液晶表示素子が提案されている（例えば、特許文献１参照。）。
【０００４】
特許文献１に記載の液晶表示素子は、図３に示すように、透明なセグメント基板４１及びコモン基板４２の間に液晶４３が封入されている。セグメント基板４１の液晶４３側の面には低屈折率層４４、セグメント電極４５及び配向膜４６が設けられている。コモン基板４２の液晶４３側の面にはコモン電極４７及び配向膜４８が設けられている。低屈折率層４４は、セグメント基板４１との屈折率の差により、セグメント基板４１との界面に対して斜めに入射される光を当該界面で全反射させ、かつ、セグメント基板４１との界面に対してほぼ垂直に入射される光をそのまま透過させるためのものである。セグメント基板４１の一端面側には光源４９が配置されている。セグメント基板４１の端面と光源４９との間には位相差板５０及び偏光板５１が設けられている。セグメント基板４１の液晶４３側と反対側の面（外面）には、光路をセグメント基板４１の内面に対してほぼ垂直な方向に変換する光路変更光学シート５２が貼付されている。即ち、セグメント基板４１は導光板を兼ねている。光路変更光学シート５２のセグメント基板４１と反対側には反射板５３が配置されている。コモン基板４２の外面には位相差板５４及び偏光板５５が貼付されている。
【特許文献１】特開２００４−２４６１００号公報
【発明の開示】
【発明が解決しようとする課題】
【０００５】
特許文献１の液晶表示素子（液晶表示装置）はセグメント基板４１が導光板を兼用した構成のため、導光板が独立した構成に比較して液晶表示装置の薄型化は可能である。しかし、特許文献１の装置を透過型として使用する場合、光源４９から出射された光は、偏光板５１を透過した後、セグメント基板４１に入射し、光路変更光学シート５２で光路が変更されて液晶４３に入射する。セグメント基板４１は透明である必要があり、透明な基板をガラスや樹脂で形成した場合、残留歪みに起因する複屈折が起こる。そのため、光源４９から出射された光が偏光板５１を透過した後、セグメント基板４１内を遠い位置まで導波する間に目的とする偏光状態が保持されるのは難しいという問題がある。
【０００６】
本発明は、前記の問題に鑑みてなされたものであって、その目的は２枚の透明基板間に液晶が封入された液晶表示装置において、一方の透明基板に導光板の機能を持たせるとともに、光源からの距離に拘わらず、偏光板を透過した後の光の偏光状態を目的とする偏光状態に保持することができる液晶表示装置を提供することにある。
【課題を解決するための手段】
【０００７】
前記の目的を達成するために、請求項１に記載の発明は、２枚の透明基板間に液晶が封入された液晶表示装置であって、光が出射される側に配置された第１透明基板と、前記第１透明基板に対して前記液晶を挟んで反対側に配置された第２透明基板と、前記第２透明基板の端部に配置された光源とを備えている。また、前記第１透明基板の前記液晶と反対側に配置された第１偏光板と、前記第２透明基板の前記液晶と反対側に配置された第２偏光板と、前記光源から前記第２透明基板に入射された光の進行方向を、前記第２偏光板を透過する方向に変更する光変向部とを備えている。さらに、前記光変向部で変向されて前記第２透明基板から出射され、かつ前記第２偏光板を透過した光を前記液晶側へ反射する反射部と、前記第２透明基板に設けられ、前記反射部で前記液晶側へ反射された光が前記液晶側に透過するのを許容する透過部とを備えている。ここで、「変向」とは光の進行方向が変わることを意味する。
【０００８】
この発明では、光源から出射され、端面から第２透明基板に入射した光は、第２透明基板内を入射側と反対側の端面に向かって導波される間に光変向部でその進行方向が第２偏光板を透過する方向に変更される。第２透明基板から第２偏光板に向かって出射された光は、第２偏光板を透過して反射部においてその進行方向が液晶側に向かうように反射され、再び第２偏光板を透過して第２透明基板の液晶側と反対側の面に入射する。そして、その光は透過部を透過して液晶に入射し、液晶を透過して第１透明基板から出射される。従って、光源から第２透明基板に入射した光が、第２偏光板を透過した後、再び第２透明基板に入射して液晶側から出射するまでに第２透明基板内を導波する長さは、光源からの距離に殆ど影響されない。そのため、２枚の透明基板間に液晶が封入された液晶表示装置において、一方の基板に導光板の機能を持たせるとともに、光源からの距離に拘わらず、偏光板を透過した後の光の偏光状態を目的とする偏光状態に保持することができる。
【０００９】
請求項２に記載の発明は、請求項１に記載の発明において、前記液晶表示装置は、アクティブマトリックス型であり、前記第１透明基板上に画素電極及びアクティブ素子が設けられ、前記第２透明基板上に共通電極が形成されている。この発明では、アクティブマトリックス型の液晶表示装置において、請求項１の作用効果を奏する。
【００１０】
請求項３に記載の発明は、請求項１又は請求項２に記載の発明において、前記第２透明基板の前記液晶側には、前記光源と対向する端面と平行に延びる複数の溝が形成されている。前記複数の溝は、前記端面側から対向面側に向かって次第に前記液晶に近づくように傾斜する傾斜面と、前記端面側から前記対向面側に向かって次第に前記液晶から遠ざかるように傾斜する採光面とが交互に連なることにより形成され、前記採光面が前記光変向部である。
【００１１】
この発明では、光源から出射され、第２透明基板に端面から入射した光は、第２透明基板内を入射側と反対側の端面に向かって導波される間に採光面で反射して、その進行方向が第２偏光板を透過する方向に変更される。また、第２透明基板から第２偏光板に向かって出射され、反射部で反射して再び第２透明基板に入射した光は傾斜面から液晶側へ出射される。そして、採光面と傾斜面とが交互に連なるように設けられているため、光源から第２透明基板に入射された光が効率良く第２偏光板側に出射され、反射部で反射するとともに再び第２偏光板を透過して液晶側に出射される。
【００１２】
請求項４に記載の発明は、請求項３に記載の発明において、前記光変向部と前記透過部とにより構成される溝は、液晶の配向膜の機能を備えている。この発明では、光変向部と透過部より構成される溝が液晶分子を一定方向に配列させる役割をする。従って、光変向部と液晶の配向膜とを別に設ける場合に比較して部品点数が少なくなる。
【発明の効果】
【００１３】
本発明によれば、２枚の透明基板間に液晶が封入された液晶表示装置において、一方の透明基板に導光板の機能を持たせるとともに、光源からの距離に拘わらず、偏光板を透過した後の光の偏光状態を目的とする偏光状態に保持することができる。
【発明を実施するための最良の形態】
【００１４】
以下、本発明をアクティブマトリックス型の液晶表示装置に具体化した一実施形態を図１（ａ），（ｂ）に従って説明する。
図１（ａ）に示すように、液晶表示装置１１は、第１透明基板１２及び第２透明基板１３の間に液晶１４が封入されている。第１透明基板１２は液晶表示装置１１の光が出射される側、即ち表示側（図１（ａ）における上側）に配置され、第２透明基板１３は液晶１４を挟んで反対側（図１（ａ）における下側）に配置されている。両第１及び第２透明基板１２，１３は、ガラス製でシール部材１５を介して貼り合わされている。ここで、「透明」とは、少なくとも可視光を透過可能なことを意味する。
【００１５】
第１透明基板１２の液晶１４側にはアクティブ素子としてのＴＦＴ１８が形成され、さらにカラーフィルタ１６が設けられている。カラーフィルタ１６の液晶１４側には画素電極１７がマトリックス状に設けられている。ＴＦＴ１８と画素電極１７とはコンタクトホールを通じて接続されている。画素電極１７は、透明電極として用いられるＩＴＯ（インジウム錫酸化物）で形成されている。３個の画素電極１７が１組で１個の画素を構成している。なお、各画素電極１７の表面には配向膜（図示せず）が貼付されている。カラーフィルタ１６は、赤色、緑色及び青色の光をそれぞれ透過する領域１６ａ，１６ｂ，１６ｃを有し、それらの領域１６ａ〜１６ｃの各々が１つの画素電極１７と対応している。隣接する領域同士はブラックマトリックス１９で区画されている。
【００１６】
第１透明基板１２の液晶１４と反対側には位相差板２０が貼付され、その上に第１偏光板２１が貼付されている。位相差板２０にはλ／４板（１／４波長板）が使用されている。
【００１７】
第２透明基板１３の液晶１４と反対側にも位相差板２２が貼付され、その下に第２偏光板２３が貼付されている。位相差板２２にもλ／４板（１／４波長板）が使用されている。
【００１８】
第２透明基板１３の端部には光源２４が配置されている。光源２４としては、例えば、第２透明基板１３の端面１３ａと平行に延びる蛍光管（冷陰極管）や、端面１３ａに沿って配列された複数のＬＥＤが使用される。蛍光管及びＬＥＤとしては、白色発光を行うものが使用される。
【００１９】
第２透明基板１３の液晶１４側には全画素共通の共通電極２５が設けられている。共通電極２５もＩＴＯで形成されている。共通電極２５は、光源２４から第２透明基板１３に入射された光の進行方向を、第２偏光板２３を透過する方向に変更する光変向部としても機能するように形成されている。具体的には、図１（ｂ）に示すように、共通電極２５の液晶１４側の表面に、光源２４と対向する端面１３ａに沿って延びる複数の溝２６が設けられている。溝２６は、端面１３ａ側から対向面側に向かって次第に液晶１４に近づくように傾斜する傾斜面２６ｂと、端面１３ａ側から前記対向面側に向かって次第に液晶１４から遠ざかるように傾斜する採光面２６ａとが交互に連なるように設けられている。即ち、光変向部は採光面２６ａで形成されている。
【００２０】
採光面２６ａは、端面１３ａから第２透明基板１３に入射され、採光面２６ａで全反射した光が第２偏光板２３に垂直に近い角度で入射するように形成されている。採光面２６ａと第２透明基板１３の共通電極２５が形成されている側の面とは反対側の面に対して平行な平面との成す角θ１は、傾斜面２６ｂと第２透明基板１３の共通電極２５が形成されている側の面とは反対側の面に対して平行な平面との成す角θ２よりも大きい角度に設定されている。例えば、採光面２６ａと第２透明基板１３の共通電極２５が形成されている側の面とは反対側の面に対して平行な平面との成す角θ１は、３５°〜５５°の角度で形成されている。傾斜面２６ｂは、第２偏光板２３を透過するとともに後記する反射部で反射して再び第２偏光板２３を透過して第２透明基板１３に入射した光が、第２透明基板１３を液晶１４側に透過するのを許容する透過部の役割を果たすように形成されている。傾斜面２６ｂと第２透明基板１３の共通電極２５が形成されている側の面とは反対側の面に対して平行な平面との成す角θ２は、採光面２６ａと第２透明基板１３の共通電極２５が形成されている側の面とは反対側の面に対して平行な平面との成す角θ１よりも小さい角度に設定されている。例えば、傾斜面２６ｂと第２透明基板１３の共通電極２５が形成されている側の面とは反対側の面に対して平行な平面との成す角θ２は、１°〜１０°の角度で形成されている。以上の構成により、第２透明基板１３は導光板の機能を有する。
【００２１】
溝２６は、例えば、第２透明基板１３上にＩＴＯ膜を形成した後、エッチングにより形成される。また、この実施形態では、採光面２６ａと傾斜面２６ｂより構成される溝２６の部分が液晶の配向膜の機能を備えている。
【００２２】
第２偏光板２３の位相差板２２と反対側、即ち第２偏光板２３の下には反射部としての反射板２７が設けられている。反射板２７は、光変向部で進行方向が変更されて第２透明基板１３から第２偏光板２３に向かって出射され、かつ第２偏光板２３を透過した光を液晶１４側へ反射する機能を有する。
【００２３】
液晶表示装置１１は、光源２４から出射された光で表示を行う透過型だけでなく、外光を利用して表示を行う反射型としても使用可能とするために、液晶表示装置１１の電源スイッチの他に光源２４用のスイッチ（いずれも図示せず）を備えている。
【００２４】
なお、図１（ａ），（ｂ）は、液晶表示装置１１の構成を模式的に示したものであり、図示の都合上、一部の寸法を誇張して分かり易くしているために、それぞれの部分の幅、長さ、厚さ等の寸法の比は実際の比と異なっている。  
【００２５】
次に、前記のように構成された液晶表示装置１１の作用について説明する。
液晶表示装置１１の電源が投入され、液晶表示装置１１の表示画面に画像を表示させる際、図示しない制御装置からの指令信号により、１列毎に各ＴＦＴ１８にデータが書き込まれる。そして、書き込まれたデータは図示しない蓄積キャパシタに電荷として蓄積され、次のデータ書き込みが行われるまで、その電荷に対応した大きさの電圧が画素電極１７に印加される状態に保持される。そして、各画素電極１７への印加電圧が大きいほど、画素電極１７に対向する液晶１４を透過する光量が増加するようになる。
【００２６】
また、光源２４は、スイッチがオンになると、白色に発光し、この光が端面１３ａから第２透明基板１３に入射する。第２透明基板１３に入射した光は、共通電極２５の採光面２６ａで反射し第２透明基板１３から位相差板２２側へ出射し、第２偏光板２３を経て反射板２７で反射する。その後、第２偏光板２３、位相差板２２、第２透明基板１３及び共通電極２５を透過して液晶１４に入射する。そして、オン状態の画素電極１７と対応するカラーフィルタ１６を経て第１透明基板１２側から出射される。液晶表示装置１１の使用者は液晶表示装置１１の表示をその出射光により視認する。
【００２７】
第２透明基板１３及び光変向部としての共通電極２５の作用を詳しく説明すると、光源２４から出射した光の大部分は端面１３ａから第２透明基板１３に入射される。第２透明基板１３に入射された光は第２透明基板１３及び共通電極２５内を導波する。そのうち、採光面２６ａに到達した光のうちの一部は、図１（ｂ）に実線で示すように、第２偏光板２３の方向（図１（ｂ）の下方）に全反射し、第２透明基板１３、位相差板２２及び第２偏光板２３を透過して第２偏光板２３から下方へ出射する。第２偏光板２３から下方へ出射した光は、反射板２７で反射して第２偏光板２３にその下面から入射し、第２偏光板２３、位相差板２２、第２透明基板１３及び共通電極２５を透過して共通電極２５の傾斜面２６ｂから液晶１４に入射する。
【００２８】
従って、光源２４から第２透明基板１３に入射した光のうち、共通電極２５を透過して液晶１４に入射する光は、第２透明基板１３及び共通電極２５内を導波する間に、採光面２６ａで第２偏光板２３側に向かって反射され、反射板２７で反射して液晶１４側に向かい、傾斜面２６ｂから液晶１４に入射する光に限る。そのため、第２偏光板２３を透過した後、再び第２透明基板１３に入射した光が液晶１４側から出射するまでに第２透明基板１３内を導波する長さは、光源２４からの距離に殆ど影響されない。その結果、光源２４からの距離に拘わらず、第２偏光板２３を透過した後の光は同じ偏光状態で液晶１４に入射するため、目的とする偏光状態に保持することができる。
【００２９】
液晶表示装置１１は、光源２４の光を利用せずに、外光を反射板２７で反射させて光源として利用する反射型の液晶表示装置としても使用できる。第１偏光板２１の外面（上面）から入射従って外光は、第１偏光板２１、位相差板２０、第１透明基板１２、カラーフィルタ１６、画素電極１７、液晶１４、共通電極２５、第２透明基板１３、位相差板２２、第２偏光板２３を透過して反射板２７で反射される。反射板２７で反射された光は第２偏光板２３に下面から入射し、位相差板２２、第２透明基板１３、共通電極２５、液晶１４、画素電極１７、カラーフィルタ１６、第１透明基板１２、位相差板２０及び第１偏光板２１を透過して、第１偏光板２１の外面（上面）に出射され、表示が行われる。
【００３０】
この実施形態では以下の効果を有する。
（１）２枚の透明基板１２，１３間に液晶１４が封入された液晶表示装置１１において、光が出射される側に配置された第１透明基板１２に対して液晶１４を挟んで反対側に配置された第２透明基板１３の端部に光源２４が配置されている。光源２４から出射され、端面１３ａから第２透明基板１３に入射した光のうち、第２透明基板１３内を入射側と反対側の端面に向かって導波される間に光変向部（溝２６の採光面２６ａ）でその進行方向が第２偏光板２３を透過する方向に変更された光が、第２偏光板２３から出射して反射板２７で反射した後、再度第２偏光板２３に入射する。そして、その光が透過部（溝２６の傾斜面２６ｂ）から液晶１４に入射し、液晶を透過して第１透明基板１２から出射される。従って、２枚の透明基板１２，１３間に液晶１４が封入された液晶表示装置１１において、第２透明基板１３に導光板の機能を持たせるとともに、光源２４からの距離に拘わらず、偏光板を透過した後の光の偏光状態を目的とする偏光状態に保持することができる。また、特許文献１に記載の従来技術では、光源から出射された光は液晶に入射するまでに偏光板を１回しか通過しないが、この実施形態では光源２４から出射された光は液晶１４に入射するまでに第２偏光板２３を２回通過するため、表示画像のコントラストが良くなる。
【００３１】
（２）液晶表示装置１１は、アクティブマトリックス型であり、第１透明基板１２上に画素電極１７及びアクティブ素子（ＴＦＴ１８）が設けられ、第２透明基板１３上に共通電極２５が形成されている。従って、アクティブマトリックス型の液晶表示装置１１において、前記（１）の効果を奏する。
【００３２】
（３）透明基板１３の端面１３ａ側から対向面側に向かって次第に液晶１４に近づくように傾斜する傾斜面２６ｂと、端面１３ａ側から前記対向面側に向かって次第に液晶１４から遠ざかるように傾斜する採光面２６ａとが交互に連なるように形成されている。この場合、光源２４から第２透明基板１３に入射された光が光変向部である採光面２６ａにより全反射し、第２偏光板２３に対して垂直に近い角度で入射し、第２偏光板２３から出射される。その後、反射部（反射板２７）で反射するとともに再び第２偏光板２３を透過し、第２透明基板１３の透過部である傾斜面２６ｂ、液晶１４を通過し、第１透明基板１２より出射される。従って、光源２４からの光を効率よく使用することができる。
【００３３】
（４）光変向部を構成する採光面２６ａと透過部を構成する傾斜面２６ｂとより構成される溝２６は、液晶の配向膜の機能を備えている。この場合、採光面２６ａと傾斜面２６ｂより構成される溝２６が液晶分子を一方向に配向する役割をする。従って、光変向部と配向膜とを別に設ける場合に比較して部品点数が少なくなる。
【００３４】
（５）光源２４は液晶表示装置１１の表示状態において、スイッチにより消灯可能に構成されている。従って、日中の屋外等、照度の高い環境での使用においては、光源２４の点灯を停止して、外光を利用して表示する反射型として使用でき、エネルギー消費を抑制できる。
【００３５】
実施形態は前記に限定されるものではなく、例えば、次のように構成してもよい。
○  光源２４から第２透明基板１３に入射された光の進行方向を、第２偏光板２３を透過する方向に変更する光変向部は、共通電極２５の液晶１４に対向する面に採光面２６ａを形成する構成に限らない。例えば、図２（ａ）に示すように、第２透明基板１３の共通電極２５との界面に光変向部である採光面２６ａと透過部である傾斜面２６ｂより構成される溝２６を形成し、溝を埋めるように共通電極２５を設ける。そして、共通電極２５の液晶１４側の面に配向膜２８を貼付する。ＩＴＯはガラスに比較して屈折率が高いため、第２透明基板１３側から共通電極２５に入射しようとする光が全反射することはない。従って、図２（ａ）に鎖線で示すように、採光面２６ａに反射膜（例えば金属膜）２９を蒸着するのが好ましい。この構成においても、光源２４から第２透明基板１３に入射した光は、採光面２６ａで反射して第２偏光板２３側に進行方向が変更され、第２偏光板２３から出射される。そして、反射板２７で反射した光は、第２偏光板２３に再び入射し、位相差板２２、第２透明基板１３、共通電極２５の傾斜面２６ｂ、配向膜２８を経て液晶１４に入射し、画素電極１７、カラーフィルタ１６、第１透明基板１２、位相差板２０及び第１偏光板２１を透過して、第１偏光板２１の外面（上面）に出射され、表示が行われる。この実施形態においては、配向膜２８として公知の構成のもの（例えば、ポリイミド膜にラビング処理を行ったもの）を使用できる。
【００３６】
○  図２（ｂ）に示すように、第２透明基板１３の共通電極２５側に溝３０を形成し、溝３０の壁面に沿って共通電極２５が積層された構成としてもよい。共通電極２５は、例えば蒸着で形成される。この構成では、共通電極２５の表面に溝２６が形成され、前記実施形態と同様に溝２６は、光変向部である採光面２６ａ及び透過部である傾斜面２６ｂより形成されている。従って、採光面２６ａ及び傾斜面２６ｂより形成される溝２６が液晶の配向膜の機能を備えている。
【００３７】
○  図１（ｂ）あるいは図２（ｂ）のように、共通電極２５の液晶１４側に溝２６を形成した構成において、溝２６を覆うように配向膜を設けてもよい。
○  光変向部で変向されて第２透明基板１３から出射され、かつ第２偏光板２３を透過した光を液晶１４側へ反射する反射部は、反射板２７を第２偏光板２３と別に設ける構成に限らない。例えば、第２偏光板２３の位相差板２２と反対側の面に金属を蒸着して反射膜を設け、第２偏光板２３と反射部とを一体に形成してもよい。
【００３８】
○  光源２４は、第２透明基板１３の一端に配置する構成に限らず、端面１３ａ及び端面１３ａと反対側の端面（対向面）と対応する位置の２箇所に配置したり、第２透明基板１３の周囲全体に配置したりしてもよい。
【００３９】
○  第１透明基板１２及び第２透明基板１３はガラス材に限らず、樹脂材であってもよい。
○  位相差板は、第１偏光板２１及び第２偏光板２３のそれぞれ液晶側に１枚ずつ配置する構成に限らず、いずれか一方に２枚配置したり、第２偏光板２３側にのみ１枚配置したりしてもよい。
【００４０】
○  アクティブマトリックス型の液晶表示装置に限らず、パッシブマトリックス型の液晶表示装置や固定した絵及び文字を表示するセグメント型の液晶表示装置に適用してもよい。
【００４１】
○  アクティブ素子は、ＴＦＴ１８に限らず、例えば、二つの金属電極で絶縁体を挟んだ構造の素子であるＭＩＭ素子（Metal-Insulator-Metal 素子）を使用してもよい。
○  液晶表示装置１１はカラーフィルタ１６を備えない、モノクローム表示、例えば、白黒表示用であってもよい。その場合、光源２４は白色発光に限らない。
【００４２】
○  光変向部を構成する採光面２６ａは、第２透明基板１３に入射して第２透明基板１３及び共通電極２５を導波する光が、第２偏光板２３を透過して反射板２７で反射した後、透過部（傾斜面２６ｂ）を透過して液晶に入射する角度に形成されていればよく、採光面２６ａで全反射した光が第２偏光板２３に垂直に近い角度で入射する必要はない。採光面２６ａで全反射した光が第２偏光板２３を透過して反射板２７で反射した後、再び第２偏光板２３を透過して、透過部（傾斜面２６ｂ）を透過可能であればよい。
【００４３】
○  複数形成される採光面２６ａ，傾斜面２６ｂと、第２透明基板１３の共通電極２５が形成されている側の面とは反対側の面に対して平行な平面との成す角は同じ角度である必要はなく、それぞれ異なった角度であってもよい。
【００４４】
以下の技術的思想（発明）は前記実施形態から把握できる。
（１）請求項３に記載の発明において、前記光変向部は前記共通電極の前記液晶側の面に設けられている。
【００４５】
（２）請求項３に記載の発明において、前記光変向部は前記第２透明基板と前記共通電極との界面に設けられている。
（３）請求項１〜請求項４及び前記技術的思想（１），（２）のいずれか一項に記載の発明において、前記第１偏光板及び第２偏光板の前記液晶側にはそれぞれ位相差板が設けられている。
【図面の簡単な説明】
【００４６】
【図１】（ａ）は一実施形態における液晶表示装置の部分模式断面図、（ｂ）は第２透明基板の光源寄り部分の模式拡大図。
【図２】（ａ），（ｂ）はそれぞれ別の実施形態における図１（ｂ）に対応する部分模式図。
【図３】従来技術の液晶表示装置の模式断面図。
【符号の説明】
【００４７】
１１…液晶表示装置、１２…第１透明基板、１３…第２透明基板、１３ａ…端面、１４…液晶、１７…画素電極、１８…アクティブ素子としてのＴＦＴ、２１…第１偏光板、２３…第２偏光板、２４…光源、２５…共通電極、２６…光変向部と透過部より構成される溝、２６ａ…光変向部としての採光面、２６ｂ…透過部としての傾斜面、２７…反射部としての反射板、２８…配向膜。
【図１】
2007065601.tif 000003
【図２】
2007065601.tif 000004
【図３】
2007065601.tif 000005